(57)【要約】【課題】  補強板を高精度に位置合わせすることができるフレキシブル回路基板の製造方法を提供することにある【解決手段】  座標基準位置マーク１００を設けたフレキシブル回路基板１１０と、接着剤付き補強板１３０とを貼り合わせる工程を有する補強板付フレキシブル回路基板１６０の製造方法であって、座標基準位置マーク１００を用いて、１３０補強板を貼り合わせ、また、貼り合わせは、計測用カメラ１５０を用い、さらには、実装用マウンター１４０を用いて行うことを特徴とする補強板付フレキシブル回路基板の製造方法。【選択図】  図２
2006228885.tif 000002
【特許請求の範囲】
【請求項１】
座標基準位置マークを設けたフレキシブル回路基板と、接着剤付き補強板とを貼り合わせる工程を有する補強板付フレキシブル回路基板の製造方法であって、
前記座標基準位置マークを用いて、前記補強板を貼り合わせることを特徴とする補強板付フレキシブル回路基板の製造方法。
【請求項２】
前記貼り合わせは、計測用カメラを用い、さらには、実装用マウンターを用いて行うものである請求項１に記載の補強板付フレキシブル回路基板の製造方法。
【発明の詳細な説明】
【技術分野】
【０００１】
本発明は、補強板付フレキシブル回路基板の製造方法に関する。
【背景技術】
【０００２】
電子機器は、年々、小型化および薄形化が進んでおり、このような要求を満足させるため、電子機器に用いられる回路基板に対しても、小型化、薄型化が要求されている。その中で、フレキシブル回路基板の需要が近年ますます高まっている。
【０００３】
フレキシブル回路基板と、他の回路基板とコネクターを介しての接続や、ＬＥＤ、コンデンサー、コネクターなどの部品を搭載する場合、フレキシブル回路基板は、薄型であるため、コネクターとの電気的接続が取れなかったり、剛性が不足したりするという問題が生じる。その対応として、コネクター接続部や、部品搭載部分に補強板を貼着し、これらの部位の厚みを増して対応している。
【０００４】
フレキシブル回路基板と補強板とは、所定の部位へ互いに位置合わせをして貼着する必要があり、従来は、フレキシブル回路基板と補強板に基準となる基準穴を設けてガイドピンを介して位置合わせする方法や、フレキシブル回路基板に予め補強板貼り合わせ基準となるマークにあわせて、目視で貼着する方法などが用いられている。
【０００５】
しかしガイドピンで位置合わせする方法では、ガイドピンを設ける領域が必要となったり、位置合わせ用の穴を明ける工程が必要になったりするため、製品の取り数が悪くなったり、生産コストがかかったりする問題があった。また、目視では、高精度の位置合わせが困難で歩留が低下する問題があった（例えば特許文献１）。
【特許文献１】特開平０７−１７００３１号公報
【発明の開示】
【発明が解決しようとする課題】
【０００６】
本発明は、上記事情に鑑みてなされたものであり、その目的は、補強板とフレキシブル回路基板とを貼着する工程において、製品取り数を悪くすることのない、また、高精度に位置合わせすることができる補強板付フレキシブル回路基板の製造方法を提供することにある。
【課題を解決するための手段】
【０００７】
本発明によれば、座標基準位置マークを設けたフレキシブル回路基板と、接着剤付き補強板とを貼り合わせる工程を有する補強板付フレキシブル回路基板の製造方法であって、前記座標基準位置マークを用いて、前記補強板を貼り合わせることを特徴とする補強板付フレキシブル回路基板の製造方法を提供するものである。
【０００８】
本発明に係る補強板付フレキシブル回路基板の製造方法は、フレキシブル回路基板に補強板を貼着する工程に用いられ、製品取り数を落とすことなく、精度よく補強板を貼着することができる。
【０００９】
また、前記貼り合わせは、計測用カメラを用い、さらには、部品実装用マウンターを用いて行ってもよい。そうすることにより、より精度よく補強板を貼着することが可能となる。
【発明の効果】
【００１０】
補強板とフレキシブル回路基板とを貼着する工程において、製品取り数を悪くすることのない、また、高精度に位置合わせすることができる補強板付フレキシブル回路基板の製造方法を提供することができる。
【発明を実施するための最良の形態】
【００１１】
以下、本発明の実施形態について、図面を用いて説明する。なお、すべての図面において、共通する構成要素には同一符号を付し、以下の説明において詳細な説明を適宜省略する。
【００１２】
本実施形態に係る補強板付フレキシブル回路基板１６０は、図１に示すように、座標基準位置マーク１００を設けたフレキシブル回路基板１１０と、補強板１２０とを接着剤１３０を用いて貼り合わせる工程を有する補強板付フレキシブル回路基板１６０の製造方法であって、座標基準位置マーク１００を用いて、補強板１２０を貼り合わせるものである。
【００１３】
また、貼り合わせには、計測用カメラ１５０を用い、さらには、部品実装用マウンター１４０を用いて行ってもよい。
【００１４】
座標基準位置マーク１００の形状は、特に限定はされないが、円形や方形、角形などが好ましく、この中で円形がすべての方向に対して同一寸法になるためもっとも好ましい。大きさは、計測用カメラ１５０で認識できればよく、製品の取り数を損なわないためには出来るだけ小さい方が好ましく、φ０．５ｍｍ程度が好ましい。また、フレキシブル回路基板１１０の回路形成時に同時に作成することが好ましい。
【００１５】
次に、フレキシブル回路基板１１０に設ける位置としては、補強板貼り位置に近い箇所に１ヶあるいは２ヶ設けることが好ましい。
【００１６】
フレキシブル回路基板１１０は、ポリイミド等をベース材としたプリント回路基板であり、導体は一般的に銅箔を使用したものである。導体の被服はポリイミド等を接着剤で貼り付けて行うが、部品実装が必要な箇所や電気信号を取り出すコネクター部分等は被服材に穴を空けて開口する。開口されて導体が露出した部分には半田・金・防錆処理等の表面処理を施す。
【００１７】
補強板１２０は、他の回路基板とコネクターを介しての接続や、ＬＥＤ、コンデンサーコネクターなどの部品を搭載する場合、薄型であるフレキシブル回路基板の剛性を補う目的で使用する。材質に関しては、ガラスエポキシ積層板やホリイミド、あるいはＳＵＳやアルミ等を使用する。形状はあらかじめフレキシブル回路基板に合わせた形状に加工するのが望ましい。
【００１８】
接着剤１３０は、補強板１２０とフレキシブル回路基板１１０を接着するものであり、粘着タイプあるいは熱硬化タイプの両面テープなどから適宜選択すればよい。補強板１２０に接着剤付けておきフレキシブルプリント回路基板１１０に接着する方法とフレキシブル回路基板１１０に接着剤を付けておき補強板を接着する方法とがあるが、補強板貼り加工を画像認識で部品実装用マウンター１４０を使用する場合は補強板１２０の取り扱いやすさの面から後者の方が望ましい。
【００１９】
計測用カメラ１５０は、フレキシブル回路基板１１０の座標基準位置マーク１００を認識しマークとフレキシブル回路基板１１０の補強板位置を認識させるものであり、倍率×１０以上のものでフレキシブル回路基板１１０の座標基準位置マーク１００を認識することで座標認識が可能なものを使用する。また絞り機構のついているものでカメラへ入る光の量を調節できるものが望ましい。
【００２０】
部品実装用マウンター１４０は、ＬＥＤ、コンデンサー、コネクター等の部品をノズル等で吸着しプリント基板に搭載するものである。補強板貼り付け加工に使用する場合は、コンデンサーや抵抗等のチップ部品を専用に実装できる高速マウンターよりコネクターやＩＣ等の異型部品を実装できる中速タイプを使用するのが望ましい。また部品補給はトレーでの補給が可能なものを使用することが好ましい。
【００２１】
次に、本実施形態に係わる補強板付フレキシブル回路基板の製造方法の一例について説明する。まず、座標基準位置マーク１００を有するフレキシブル回路基板１１０を作成し補強板貼り付けに使用する接着剤１３０を貼り付け、接着剤の離型紙または離型フィルムを剥がした状態にする。
【００２２】
計測用カメラ１５０にて座標基準位置マーク１００を認識することにより補強板１２０を搭載する位置決めを行う。
【００２３】
補強板１２０はＬＥＤ、コンデンサーなどの部品を搭載するのと同様に部品実装用マウンター１４０で吸着し、計測用カメラ１５０にて認識をした座標基準位置マーク１００の位置を基準としたフレキシブル回路基板１１０の補強板貼り付け位置である接着剤１３０の上まで移動する。
【００２４】
補強板１２０を接着剤１３０の上に搭載し実装用マウンター１４０の吸着を解除し、貼り付けを行う。
【００２５】
補強板貼り付け後は一般のフレキシブル回路基板と同様に本圧着を行い補強板貼り付け完了とする。
【産業上の利用可能性】
【００２６】
本発明を用いると、製品取り数を悪くすることはなく、また、目視での貼り合わせと異なり高精度に補強板の位置合わせすることができるフレキシブル回路基板の製造方法可能となる。
【図面の簡単な説明】
【００２７】
【図１】補強板付フレキシブル回路基板および座標基準位置マークの概略図を示す。
【図２】計測用カメラにより座標基準位置マークを認識位置決めをし、フレキシブル回路基板の補強板接着剤部分に補強板を部品実装用マウンターにての貼り付けする概略図を示す。
【符号の説明】
【００２８】
１００  座標基準位置マーク
１１０  フレキシブル回路基板
１２０  補強板
１３０  補強板貼付用接着剤
１４０  部品実装用マウンター
１５０  計測用カメラ
１６０  補強板付フレキシブル回路基板
【図１】
2006228885.tif 000003
【図２】
2006228885.tif 000004